(57)【特許請求の範囲】
【請求項１】
番組放送途中で、編成チャンネル（サービス），物理チャンネル（トランスポートストリーム）または伝送路を変更し、当該番組を継続して放送するディジタル放送方法において、
上記番組の映像を生成するステップと、
上記番組の音声を生成するステップと、
上記番組の継続時刻，並びに，少なくともサービス識別子，トランスポートストリーム識別子および伝送路識別子からなる継続先に関する情報を含んでなる記述子を生成するステップと、
上記記述子を当該記述子以外の記述子とともに配置してイベント情報テーブル（ＥＩＴ）を生成するステップと、
上記イベント情報テーブル（ＥＩＴ）と当該イベント情報テーブル（ＥＩＴ）以外のテーブルとを多重化して番組配列情報（ＳＩ）を構成するステップと、
上記番組の映像および音声と、上記番組配列情報（ＳＩ）とを多重化して、１本のトランスポートストリームとするステップとからなることを特徴とするディジタル放送方法。
【請求項２】
番組放送途中で、当該番組を継続先エレメンタリストリーム（ＥＳ）に変更して放送するディジタル放送方法において、
上記番組の映像を生成するステップと、
上記番組の継続時刻，並びに，少なくともＥＳパケットの識別子，サービス識別子，トランスポートストリーム識別子および伝送路識別子からなる継続先に関する情報を含んでなる記述子を生成するステップと、
上記記述子を当該記述子以外の記述子とともに配置してイベント情報テーブル（ＥＩＴ）を生成するステップと、
上記イベント情報テーブル（ＥＩＴ）と当該イベント情報テーブル（ＥＩＴ）以外のテーブルとを多重化して番組配列情報（ＳＩ）を構成するステップと、
上記番組の映像と、上記番組配列情報（ＳＩ）とを多重化して、１本のトランスポートストリームとするステップとからなることを特徴とするディジタル放送方法。
【請求項３】
番組放送途中で、編成チャンネル（サービス），物理チャンネル（トランスポートストリーム）または伝送路を変更し、当該番組を継続して放送するディジタル放送方法において、
上記番組の映像を生成するステップと、
上記番組の音声を生成するステップと、
少なくともサービス識別子，トランスポートストリーム識別子および伝送路識別子からなる，上記番組の継続先に関する情報を含んでなる記述子を生成するステップと、
上記記述子を当該記述子以外の記述子とともに配置してイベント情報テーブル（ＥＩＴ）を生成するステップと、
上記イベント情報テーブル（ＥＩＴ）と当該イベント情報テーブル（ＥＩＴ）以外のテーブルとを多重化して番組配列情報（ＳＩ）を構成するステップと、
継続時刻に、上記番組の映像および音声と、上記番組配列情報（ＳＩ）とを多重化して、１本のトランスポートストリームとして伝送するステップとからなることを特徴とするディジタル放送方法。
【請求項４】
番組放送途中で、当該番組を継続先エレメンタリストリーム（ＥＳ）に変更して放送するディジタル放送方法において、
上記番組の映像を生成するステップと、
少なくともＥＳパケットの識別子，サービス識別子，トランスポートストリーム識別子および伝送路識別子からなる，上記番組の継続先に関する情報を含んでなる記述子を生成するステップと、
上記記述子を当該記述子以外の記述子とともに配置してイベント情報テーブル（ＥＩＴ）を生成するステップと、
上記イベント情報テーブル（ＥＩＴ）と当該イベント情報テーブル（ＥＩＴ）以外のテーブルとを多重化して番組配列情報（ＳＩ）を構成するステップと、
継続時刻に、上記番組の映像と、上記番組配列情報（ＳＩ）とを多重化して、１本のトランスポートストリームとして伝送するステップとからなることを特徴とするディジタル放送方法。
【請求項５】
ディジタル放送により送信側から放送される番組の，編成チャンネル（サービス），物理チャンネル（トランスポートストリーム）または伝送路を変更して、当該番組を継続放送するための継続時刻，並びに，少なくともサービス識別子，トランスポートストリーム識別子および伝送路識別子からなる継続先に関する情報を含んでなる記述子をイベント情報テーブル（ＥＩＴ）に配置した番組配列情報（ＳＩ）が多重化されたトランスポートストリームを受信する受信装置において、
複数伝送路によって伝送される上記トランスポートストリームの信号を、それぞれ受信する，当該複数伝送路に対応する複数の受信手段と、
受信したトランスポートストリームからプログラム仕様情報（ＰＳＩ）を抽出する，上記複数の受信手段にそれぞれ対応する複数のＰＳＩ抽出手段と、
上記トランスポートストリームから上記イベント情報テーブル（ＥＩＴ）を抽出し、継続時刻に、制御手段で取得されたパケット識別子（ＰＩＤ）によって、継続先番組の映像および音声のパケットを抽出するトランスポートデコード手段と、
上記トランスポートデコード手段で抽出されたイベント情報テーブル（ＥＩＴ）から上記記述子を抽出して、上記番組の継続時刻および継続先を取得し、継続時刻に先立って当該継続先の伝送路に対応するＰＳＩ抽出手段が抽出したプログラム仕様情報（ＰＳＩ）を解析して、当該継続先番組のパケット識別子（ＰＩＤ）を取得する制御手段とを備えたことを特徴とするディジタル放送受信装置。
【請求項６】
ディジタル放送により送信側から放送される番組を、継続先エレメンタリストリーム（ＥＳ）に変更して、継続放送するための継続時刻，並びに，少なくともＥＳパケットの識別子，サービス識別子，トランスポートストリーム識別子および伝送路識別子からなる継続先に関する情報を含んでなる記述子をイベント情報テーブル（ＥＩＴ）に配置した番組配列情報（ＳＩ）が多重化されたトランスポートストリームを受信する受信装置において、
複数伝送路によって伝送される上記トランスポートストリームの信号を、それぞれ受信する，当該複数伝送路に対応する複数の受信手段と、
受信したトランスポートストリームから上記イベント情報テーブル（ＥＩＴ）を抽出し、継続時刻に、制御手段で取得されたパケット識別子（ＰＩＤ）によって、継続先番組のＥＳのパケットを抽出するトランスポートデコード手段と、
上記トランスポートデコード手段で抽出されたイベント情報テーブル（ＥＩＴ）から上記記述子を抽出して解析し、継続時刻に先立って上記番組の継続時刻および継続先伝送路におけるＥＳのパケット識別子（ＰＩＤ）を取得する制御手段とを備えたことを特徴とするディジタル放送受信装置。
【請求項７】
ディジタル放送により送信側から放送される番組の，編成チャンネル（サービス），物理チャンネル（トランスポートストリーム）または伝送路を変更して、当該番組を継続放送するための，少なくともサービス識別子，トランスポートストリーム識別子および伝送路識別子からなる継続先に関する情報を含んでなる記述子をイベント情報テーブル（ＥＩＴ）に配置した番組配列情報（ＳＩ）が多重化されたトランスポートストリームを受信する受信装置において、
複数伝送路によって伝送される上記トランスポートストリームの信号を、それぞれ受信する，当該複数伝送路に対応する複数の受信手段と、
受信したトランスポートストリームからプログラム仕様情報（ＰＳＩ）を抽出する，上記複数の受信手段にそれぞれ対応する複数のＰＳＩ抽出手段と、
継続時刻に、上記トランスポートストリームから上記イベント情報テーブル（ＥＩＴ）を抽出し、制御手段で取得されたパケット識別子（ＰＩＤ）によって、継続先番組の映像および音声のパケットを抽出するトランスポートデコード手段と、
上記トランスポートデコード手段で抽出されたイベント情報テーブル（ＥＩＴ）から上記記述子を抽出して、上記番組の継続先を取得し、当該継続先の伝送路に対応するＰＳＩ抽出手段が抽出したプログラム仕様情報（ＰＳＩ）を解析して、当該継続先番組のパケット識別子（ＰＩＤ）を取得する制御手段とを備えたことを特徴とするディジタル放送受信装置。
【請求項８】
ディジタル放送により送信側から放送される番組を、継続先エレメンタリストリーム（ＥＳ）に変更して、継続放送するための，少なくともＥＳパケットの識別子，サービス識別子，トランスポートストリーム識別子および伝送路識別子からなる継続先に関する情報を含んでなる記述子をイベント情報テーブル（ＥＩＴ）に配置した番組配列情報（ＳＩ）が多重化されたトランスポートストリームを受信する受信装置において、
複数伝送路によって伝送される上記トランスポートストリームの信号を、それぞれ受信する，当該複数伝送路に対応する複数の受信手段と、
継続時刻に、受信したトランスポートストリームから上記イベント情報テーブル（ＥＩＴ）を抽出し、制御手段で取得されたパケット識別子（ＰＩＤ）によって、継続先番組の映像および音声のパケットを抽出するトランスポートデコード手段と、
上記トランスポートデコード手段で抽出されたイベント情報テーブル（ＥＩＴ）から上記記述子を抽出して解析し、上記番組の継続先伝送路におけるエレメンタリストリーム（ＥＳ）のパケット識別子（ＰＩＤ）を取得する制御手段とを備えたことを特徴とするディジタル放送受信装置。
【請求項９】
請求項５または６に記載のディジタル放送受信装置において、
番組の映像表示画面の一部に、継続先で番組を継続視聴するか否かを選択するためのＯＳＤメッセージを配置して、画面を作成する映像合成手段と、
上記ＯＳＤメッセージに基づいて継続視聴するか否かを選択して、選択内容を上記制御手段に出力する入力手段とをさらに備え、
上記制御手段は、取得した継続時刻または継続先に関する情報を視聴者に提示して、視聴者が継続先で番組を視聴継続するか否かを判断し、視聴継続しないときは、上記トランスポートデコード手段に継続先番組のＰＩＤへの切り替えを指示しないものであることを特徴とするディジタル放送受信装置。
【請求項１０】
請求項７または８に記載のディジタル放送受信装置において、
番組の映像表示画面の一部に、番組継続先での放映に切り替えた旨のＯＳＤメッセージを配置して、画面を作成する映像合成手段をさらに備えたことを特徴とするディジタル放送受信装置。
【発明の詳細な説明】
【０００１】
【発明の属する技術分野】
本発明は、番組が複数のサービス，複数の物理チャンネルあるいは複数の伝送路に，時間的にまたがって放送されるディジタル放送方法およびその受信装置に関するものである。
【０００２】
【従来の技術】
従来、アナログ放送において、たとえばＮＨＫ総合で放送している高校野球の番組を、ニュース番組の放送時刻になると一旦打ち切って、ＮＨＫ教育に移って放送したり、民営放送においても、ある番組について全国ネットの放送局からの放送を一定時刻に打ち切って、続きをローカル放送局が放送するということもあり、大抵は同じチャンネルでの放送となるが、ローカル放送のチャンネルに引き継がれる場合もある。このように、１つの番組が複数の物理チャンネルに時間的にまたがって放送されることがしばしば行なわれている。
【０００３】
また、たとえばＮＨＫ総合やＮＨＫ教育の地上波放送において放送した番組を、ＮＨＫ衛星第一や第二のＢＳ放送において再放送することがあり、これは１つの番組を複数の伝送路に異なる時間に放送するものであるが、１つの番組を複数の伝送路に時間的にまたがって放送することも容易であり、実行される可能性も極めて高い。
【０００４】
以上のような場合、最初に番組が放送されているチャンネルや伝送路での放送終了前に、当該番組が異なるチャンネルや伝送路で引き続き放送される旨を，アナウンサーにより説明したり、テレビ画面にスーパーとして説明文を流したりして、視聴者にチャンネルや伝送路の変更を促すことが行なわれている。
【０００５】
ところで、ディジタル放送において、番組として数十から数百のチャンネルを提供する，多チャンネル放送が実用段階に入っている。多チャンネル化が進めば、上述のアナログ放送で番組が複数の物理チャンネルに時間的にまたがって放送されることが、ディジタル放送でも頻繁に行なわれる可能性が高い。また、ディジタル通信衛星（ＣＳ）放送からディジタル放送衛星（ＢＳ）放送へ，あるいはディジタル放送衛星（ＢＳ）放送から地上波ディジタル放送へのように、複数の伝送路に時間的にまたがって放送されることも充分想定される。この場合にも、上述のアナログ放送と同様にして、視聴者にチャンネルや伝送路の変更先を通知して変更を促すようにすることも考えられる。
【０００６】
【発明が解決しようとする課題】
しかしながら、多チャンネルディジタル放送においては、従来のアナログ放送におけるように視聴者に変更を促すだけでは、視聴者は数百もあるチャンネルやいくつもの伝送路のいずれかの変更先を的確に把握して、その変更先のチャンネルや伝送路を入力して変更しなければならないため、視聴者の負担が過大になるという問題点がある。
【０００７】
本発明は、かかる問題点を解決するためになされたもので、ディジタル放送において、番組が複数のサービス，複数の物理チャンネル，あるいは複数の伝送路に時間的にまたがって放送される場合にも自動的に継続して放映するディジタル放送方法およびその受信装置を提供することを目的とする。
【０００８】
【課題を解決するための手段】
上記課題を解決するために、本発明（請求項１）にかかるディジタル放送方法は、番組放送途中で、編成チャンネル（サービス），物理チャンネル（トランスポートストリーム）または伝送路を変更し、当該番組を継続して放送するディジタル放送方法において、上記番組の映像を生成するステップと、上記番組の音声を生成するステップと、上記番組の継続時刻，並びに，少なくともサービス識別子，トランスポートストリーム識別子および伝送路識別子からなる継続先に関する情報を含んでなる記述子を生成するステップと、上記記述子を当該記述子以外の記述子とともに配置してイベント情報テーブル（ＥＩＴ）を生成するステップと、上記イベント情報テーブル（ＥＩＴ）と当該イベント情報テーブル（ＥＩＴ）以外のテーブルとを多重化して番組配列情報（ＳＩ）を構成するステップと、上記番組の映像および音声と、上記番組配列情報（ＳＩ）とを多重化して、１本のトランスポートストリームとするステップとからなるものである。
【０００９】
また、本発明（請求項２）にかかるディジタル放送方法は、番組放送途中で、当該番組を継続先エレメンタリストリーム（ＥＳ）に変更して放送するディジタル放送方法において、上記番組の映像を生成するステップと、上記番組の継続時刻，並びに，少なくともＥＳパケットの識別子，サービス識別子，トランスポートストリーム識別子および伝送路識別子からなる継続先に関する情報を含んでなる記述子を生成するステップと、上記記述子を当該記述子以外の記述子とともに配置してイベント情報テーブル（ＥＩＴ）を生成するステップと、上記イベント情報テーブル（ＥＩＴ）と当該イベント情報テーブル（ＥＩＴ）以外のテーブルとを多重化して番組配列情報（ＳＩ）を構成するステップと、上記番組の映像と、上記番組配列情報（ＳＩ）とを多重化して、１本のトランスポートストリームとするステップとからなるものである。
【００１０】
また、本発明（請求項３）にかかるディジタル放送方法は、番組放送途中で、編成チャンネル（サービス），物理チャンネル（トランスポートストリーム）または伝送路を変更し、当該番組を継続して放送するディジタル放送方法において、上記番組の映像を生成するステップと、上記番組の音声を生成するステップと、少なくともサービス識別子，トランスポートストリーム識別子および伝送路識別子からなる，上記番組の継続先に関する情報を含んでなる記述子を生成するステップと、上記記述子を当該記述子以外の記述子とともに配置してイベント情報テーブル（ＥＩＴ）を生成するステップと、上記イベント情報テーブル（ＥＩＴ）と当該イベント情報テーブル（ＥＩＴ）以外のテーブルとを多重化して番組配列情報（ＳＩ）を構成するステップと、継続時刻に、上記番組の映像および音声と、上記番組配列情報（ＳＩ）とを多重化して、１本のトランスポートストリームとして伝送するステップとからなるものである。
【００１１】
また、本発明（請求項４）にかかるディジタル放送方法は、番組放送途中で、当該番組を継続先エレメンタリストリーム（ＥＳ）に変更して放送するディジタル放送方法において、上記番組の映像を生成するステップと、少なくともＥＳパケットの識別子，サービス識別子，トランスポートストリーム識別子および伝送路識別子からなる，上記番組の継続先に関する情報を含んでなる記述子を生成するステップと、上記記述子を当該記述子以外の記述子とともに配置してイベント情報テーブル（ＥＩＴ）を生成するステップと、上記イベント情報テーブル（ＥＩＴ）と当該イベント情報テーブル（ＥＩＴ）以外のテーブルとを多重化して番組配列情報（ＳＩ）を構成するステップと、継続時刻に、上記番組の映像と、上記番組配列情報（ＳＩ）とを多重化して、１本のトランスポートストリームとして伝送するステップとからなるものである。
【００１２】
また、本発明（請求項５）にかかる受信装置は、ディジタル放送により送信側から放送される番組の，編成チャンネル（サービス），物理チャンネル（トランスポートストリーム）または伝送路を変更して、当該番組を継続放送するための継続時刻，並びに，少なくともサービス識別子，トランスポートストリーム識別子および伝送路識別子からなる継続先に関する情報を含んでなる記述子をイベント情報テーブル（ＥＩＴ）に配置した番組配列情報（ＳＩ）が多重化されたトランスポートストリームを受信する受信装置において、複数伝送路によって伝送される上記トランスポートストリームの信号を、それぞれ受信する，当該複数伝送路に対応する複数の受信手段と、受信したトランスポートストリームからプログラム仕様情報（ＰＳＩ）を抽出する，上記複数の受信手段にそれぞれ対応する複数のＰＳＩ抽出手段と、上記トランスポートストリームから上記イベント情報テーブル（ＥＩＴ）を抽出し、継続時刻に、制御手段で取得されたパケット識別子（ＰＩＤ）によって、継続先番組の映像および音声のパケットを抽出するトランスポートデコード手段と、上記トランスポートデコード手段で抽出されたイベント情報テーブル（ＥＩＴ）から上記記述子を抽出して、上記番組の継続時刻および継続先を取得し、継続時刻に先立って当該継続先の伝送路に対応するＰＳＩ抽出手段が抽出したプログラム仕様情報（ＰＳＩ）を解析して、当該継続先番組のパケット識別子（ＰＩＤ）を取得する制御手段を備えたものである。
【００１３】
また、本発明（請求項６）にかかる受信装置は、ディジタル放送により送信側から放送される番組を、継続先エレメンタリストリーム（ＥＳ）に変更して、継続放送するための継続時刻，並びに，少なくともＥＳパケットの識別子，サービス識別子，トランスポートストリーム識別子および伝送路識別子からなる継続先に関する情報を含んでなる記述子をイベント情報テーブル（ＥＩＴ）に配置した番組配列情報（ＳＩ）が多重化されたトランスポートストリームを受信する受信装置において、複数伝送路によって伝送される上記トランスポートストリームの信号を、それぞれ受信する，当該複数伝送路に対応する複数の受信手段と、受信したトランスポートストリームから上記イベント情報テーブル（ＥＩＴ）を抽出し、継続時刻に、制御手段で取得されたパケット識別子（ＰＩＤ）によって、継続先番組のＥＳのパケットを抽出するトランスポートデコード手段と、上記トランスポートデコード手段で抽出されたイベント情報テーブル（ＥＩＴ）から上記記述子を抽出して解析し、継続時刻に先立って上記番組の継続時刻および継続先伝送路におけるＥＳのパケット識別子（ＰＩＤ）を取得する制御手段とを備えたものである。
【００１４】
また、本発明（請求項７）にかかる受信装置は、ディジタル放送により送信側から放送される番組の，編成チャンネル（サービス），物理チャンネル（トランスポートストリーム）または伝送路を変更して、当該番組を継続放送するための，少なくともサービス識別子，トランスポートストリーム識別子および伝送路識別子からなる継続先に関する情報を含んでなる記述子をイベント情報テーブル（ＥＩＴ）に配置した番組配列情報（ＳＩ）が多重化されたトランスポートストリームを受信する受信装置において、複数伝送路によって伝送される上記トランスポートストリームの信号を、それぞれ受信する，当該複数伝送路に対応する複数の受信手段と、受信したトランスポートストリームからプログラム仕様情報（ＰＳＩ）を抽出する，上記複数の受信手段にそれぞれ対応する複数のＰＳＩ抽出手段と、継続時刻に、上記トランスポートストリームから上記イベント情報テーブル（ＥＩＴ）を抽出し、制御手段で取得されたパケット識別子（ＰＩＤ）によって、継続先番組の映像および音声のパケットを抽出するトランスポートデコード手段と、上記トランスポートデコード手段で抽出されたイベント情報テーブル（ＥＩＴ）から上記記述子を抽出して、上記番組の継続先を取得し、当該継続先の伝送路に対応するＰＳＩ抽出手段が抽出したプログラム仕様情報（ＰＳＩ）を解析して、当該継続先番組のパケット識別子（ＰＩＤ）を取得する制御手段とを備えたものである。
【００１５】
また、本発明（請求項８）にかかる受信装置は、ディジタル放送により送信側から放送される番組を、継続先エレメンタリストリーム（ＥＳ）に変更して、継続放送するための，少なくともＥＳパケットの識別子，サービス識別子，トランスポートストリーム識別子および伝送路識別子からなる継続先に関する情報を含んでなる記述子をイベント情報テーブル（ＥＩＴ）に配置した番組配列情報（ＳＩ）が多重化されたトランスポートストリームを受信する受信装置において、複数伝送路によって伝送される上記トランスポートストリームの信号を、それぞれ受信する，当該複数伝送路に対応する複数の受信手段と、継続時刻に、受信したトランスポートストリームから上記イベント情報テーブル（ＥＩＴ）を抽出し、制御手段で取得されたパケット識別子（ＰＩＤ）によって、継続先番組の映像および音声のパケットを抽出するトランスポートデコード手段と、上記トランスポートデコード手段で抽出されたイベント情報テーブル（ＥＩＴ）から上記記述子を抽出して解析し、上記番組の継続先伝送路におけるエレメンタリストリーム（ＥＳ）のパケット識別子（ＰＩＤ）を取得する制御手段とを備えたものである。
【００１６】
また、本発明（請求項９）にかかる受信装置は、請求項５または６に記載のディジタル放送受信装置において、番組の映像表示画面の一部に、継続先で番組を継続視聴するか否かを選択するためのＯＳＤメッセージを配置して、画面を作成する映像合成手段と、上記ＯＳＤメッセージに基づいて継続視聴するか否かを選択して、選択内容を上記制御手段に出力する入力手段とをさらに備え、上記制御手段は、取得した継続時刻または継続先に関する情報を視聴者に提示して、視聴者が継続先で番組を視聴継続するか否かを判断し、視聴継続しないときは、上記トランスポートデコード手段に継続先番組のＰＩＤへの切り替えを指示しないものである。
【００１７】
また、本発明（請求項１０）にかかる受信装置は、請求項７または８に記載のディジタル放送受信装置において、番組の映像表示画面の一部に、番組継続先での放映に切り替えた旨のＯＳＤメッセージを配置して、画面を作成する映像合成手段をさらに備えたものである。
【００１８】
【発明の実施の形態】
以下、本発明の実施の形態を添付図面に基づき詳細に説明する。
実施の形態１．
図１は本発明の実施の形態１によるディジタル放送方法における送信側の構成の概略を示すブロック図である。図において、１１は番組配列情報（ＳＩ）を生成する番組配列情報生成部、１２は放送番組のための映像を生成する映像生成部、１３は同じく音声を生成する音声生成部、１４は番組配列情報生成部１１，映像生成部１２，及び音声生成部１３でそれぞれ生成された番組配列情報（ＳＩ），映像，及び音声を多重化して１本のトランスポートストリームにする多重化部、１５はトランスポートストリームのディジタル情報を搬送波に乗せる変調器、１６は搬送波を通信衛星等を介して受信側に伝送するアンテナである。
【００１９】
図２は、図１における番組配列情報生成部の構成を示すブロック図である。図において、２１は後述するデータ構造を有するsucceeding descriptor を生成するsucceeding descriptor 生成部、２２はsucceeding descriptor 以外の，イベント情報テーブル（ＥＩＴ）に配置するdescriptorを生成するその他のdescriptor生成部、２３はsucceeding descriptor およびその他のdescriptorを配置してＥＩＴを生成するＥＩＴ生成部、２４は番組配列情報（ＳＩ）を構成する，ＥＩＴを除くその他のテーブルを生成するその他のテーブル生成部、２５はＥＩＴおよびその他のテーブルを多重化して番組配列情報（ＳＩ）を構成するＳＩ多重化部である。
【００２０】
ここで、上記番組配列情報（ＳＩ），イベント情報テーブル（ＥＩＴ），及びその他のテーブルについては、社団法人電波産業会の規格で定義されているものであり、上記番組配列情報（ＳＩ）には、ユーザがサービスやイベントを識別するために必要なデータの符号化が定義されている。このデータは６つのテーブルで構成され、その１つがＥＩＴであり、残りの５つが上記その他のテーブルである。該ＥＩＴは、イベント名，開始時刻，継続時間など、イベントやプログラムに関するデータを含み、異なる記述子を使うことにより異なる種類のイベント情報の伝送を可能とする。そこで、本発明の実施の形態１においては、該ＥＩＴにsucceeding descriptor なる記述子を設定して、これを使用して継続先番組を特定するためのデータを配置する。
【００２１】
図３は、図２のsucceeding descriptor 生成部において番組配列情報（ＳＩ）のイベント情報テーブル（ＥＩＴ）に配置するデータの構造を示す図である。図において、３１はsucceeding descriptor であり、上述のように継続先番組を特定するデータを記述するために設定した記述子である。３２は社団法人電波産業会の規格で記述することが規定され、succeeding descriptor の識別番号を示したり、後続の記述子の全バイト長を規定している。３３はarea code であり、地上波放送による継続先番組を受信可能な地域を示す地域コード。３４はsucceeding media id であり、継続先番組（継続先イベント）の属する伝送路（地上波，衛星など）を示す。３５はsucceeding network id であり、継続先番組の属する事業単位のネットワークを識別する。３６はsucceeding transportstream id であり、継続先番組の属するトランスポートストリーム（ＴＳ）を示す。３７はsucceeding service id であり、継続先番組の属する編成チャンネル（１００ｃｈ，１０３ｃｈなど）を示す。３８はsucceeding event id であり、継続先の時間で区切られたイベント，すなわち継続先番組を示す。３９はsucceeding start time であり、継続先番組の開始時刻を示す。４０はsucceeding duration であり、継続先番組の放送時間を示す。４１はanalog channel number であり、アナログ放送で番組を継続する場合のアナログチャンネル番号を示す。
【００２２】
図３に示すように、succeeding media id がディジタルであるか，あるいはアナログの伝送路であるかによって、用いる記述子が異なる。すなわち、ディジタルの場合、succeeding network id ３５，succeeding transportstream id ３６，succeeding service id ３７，及びsucceeding event id ３８を、アナログの場合は、analog channel number ４１を用い、succeeding start time ３９，及びsucceeding duration ４０については、いずれにも用いられる。
【００２３】
次に送信側装置の動作について図１および図２に沿って説明する。
まず、succeeding descriptor 生成部２１において、図３に示したデータ構造を有するsucceeding descriptor を生成する。該succeeding descriptor を、その他のdescriptor生成部２２で生成したdescriptorとともに配置して、ＥＩＴ生成部２３にてＥＩＴを生成する。該ＥＩＴと、その他のテーブル生成部２４で生成したテーブルとを、ＳＩ多重化部２５で多重化して番組配列情報（ＳＩ）を構成する。ここまでが番組配列情報生成部１１における動作である。また、番組の映像および音声が、それぞれ映像生成部１２および音声生成部１３で生成される。生成された番組配列情報（ＳＩ），映像および音声は、多重化部１４で多重化されて１本のトランスポートストリームとして変調器１５に送られる。変調器１５は該トランスポートストリームの情報を搬送波に乗せ、該搬送波はアンテナ１６から通信衛星を介して受信側に伝送される。
【００２４】
なお、該トランスポートストリームには４〜８チャンネル程度の番組が多重化されるので、映像生成部１２および音声生成部１３は、それぞれ番組数だけ必要である。
【００２５】
図４は本発明の実施の形態１によるディジタル放送受信装置の構成を示すブロック図であり、図において、５１はＢＳ受信部であり、ディジタル衛星放送（ＢＳ）を受信するパラボラアンテナで、トランスポートストリームの信号を受信する。５２はＢＳ復調部であり、ディジタル変調を受けた衛星放送信号を復調する。５３はＢＳ−ＦＥＣ部であり、ディジタル衛星放送（ＢＳ）のビット誤りを正すための誤り訂正符号を使用して、伝送路の誤りを正す。５４はＢＳ−ＰＳＩ抽出部であり、ＢＳ−ＦＥＣ部５３で誤り訂正されたトランスポートストリームのＰＳＩを抽出する。５５は地上波受信部であり、地上波ディジタル放送を受信するアンテナで、トランスポートストリームの信号を受信する。５６は地上波復調部であり、ディジタル変調を受けた地上波放送信号を復調する。５７は地上波ＦＥＣ部であり、地上波ディジタル放送のビット誤りを正すための誤り訂正符号を使用して伝送路の誤りを正す。５８は地上波ＰＳＩ抽出部であり、地上波ＦＥＣ部５７で誤り訂正されたトランスポートストリームのＰＳＩを抽出する。５９は入力部であり、ユーザが視聴を継続するか否かの選択などが入力される。６０は制御部であり、入力部５９の入力内容を受けてセレクタに伝送路の切り替えを指示したり、トランスポートデコード部で抽出されたＳＩのＥＩＴを解析する。６１はセレクタであり、制御部６０の指示によりトランスポートデコード部に出力する伝送路を切り替える。６２はトランスポートデコード部であり、トランスポートストリームからＥＩＴを抽出したり、番組開始時刻に上記ＰＳＩに基づいてＰＩＤフィルタの設定を入れ替えて、継続先番組のパケットを抽出する。６３は映像デコード部であり、トランスポートデコード部６２で抽出されたパケットのうち映像のパケットを復号する。６４は音声デコード部であり、同じく音声のパケットを復号する。６５は音声出力部であり、音声を出力するスピーカである。６６は映像合成部であり、伝送路等を変更して放送する番組を放送中、映像デコード部６３から出力される映像に、制御部６０で解析された内容を受けて番組継続先を知らせるメッセージを配置して画面を作成するＯＳＤ（On Screen Display ）である。６７は映像合成部６６で作成された画面を表示する映像表示部である。
【００２６】
図５は番組が伝送路を変更して放送される場合の一例を示した図である。
図６は本発明の実施の形態１における放送受信装置の動作処理を説明するためのフローチャート図である。このフローチャート図に沿って図４に示す放送受信装置の動作について説明する。
【００２７】
まず、視聴者が図５に示した番組の視聴を開始するとき、視聴者がディジタルＢＳ放送による番組を選択した情報が入力部５９から出力されると、この情報を受けて制御部６０は、ＢＳ受信部５１にトランスポートストリームの信号の受信を開始させ、該信号のディジタル変調をＢＳ復調部５２に復調させて、ＢＳ−ＦＥＣ部５３によってビット誤りを訂正させ、ＢＳ−ＰＳＩ抽出部５８にＰＳＩを抽出させる。制御部６０は、該ＰＳＩを解析して上記番組が含まれるトランスポートストリームを認識し、ＢＳ受信部５１に該トランスポートストリームの信号を受信させ、該信号のディジタル変調をＢＳ復調部５２に復調させ、ＢＳ−ＦＥＣ部５３によってビット誤りを訂正させ、地上波ＰＳＩ抽出部５８からの出力をトランスポートデコード部６２が受けるように、セレクタ６１を切り替える。トランスポートデコード部６２はＳＩのＥＩＴを抽出するとともに、上記ＰＳＩの解析からＰＩＤフィルタを設定して、上記番組の映像および音声のパケットを抽出し、映像デコード部６３および音声デコード部６４で復号して当該番組の放映が開始される。また、制御部６０では、トランスポートデコード部６２で抽出されたＥＩＴに記述されたsucceeding descriptor を解析して、放映中の番組の継続先と継続時刻とを認識する（ステップ１）。次に、制御部６０は、視聴者に当該ディジタルＢＳ放送での放送終了後に当該番組の継続先に移って視聴を継続するか否かを問い合わせる。すなわち、ＯＳＤメッセージ７１（図７参照）を映像合成部６６で当該番組の映像に貼り付けて、映像表示部６７で図７のような画面として表示して、視聴者が視聴継続を設定するか否かを見る（ステップ２）。「いいえ」を選択した場合、当該ＢＳでの放送終了時刻が到来すると放送は打ち切られる。一方、入力部５９により「はい」を選択すると、制御部６０はこれを受けて継続時刻の数秒前位になると、番組継続先の伝送路である地上波ディジタル放送においてトランスポートストリームの受信を地上波受信部５５に開始させ、地上波復調部５６には当該トランスポートストリームの信号のディジタル変調を復調させ、地上波ＦＥＣ部５７にはそのビット誤りを訂正させ、地上波ＰＳＩ抽出部５８にＰＳＩを抽出させて、これを解析する（ステップ３）。この解析より、制御部６０は、当該番組が含まれるトランスポートストリームの受信を地上波受信部５５に開始させ、地上波復調部５６には当該トランスポートストリームの信号のディジタル変調を復調させ、地上波ＦＥＣ部５７にはそのビット誤りを訂正させる。また、制御部６０は上記ＰＳＩの解析から継続先番組の映像および音声のパケットのＰＩＤを取得し、伝送路切り替えの準備をしておく（ステップ４）。制御部６０は継続時刻の到来を確認すると（ステップ５）、トランスポートデコード部６２のＰＩＤフィルタの設定を入れ替えて、継続先番組のパケットを抽出し、映像デコード部６３および音声デコード部６４は、それぞれ映像のパケットおよび音声のパケットの復号を開始し（ステップ６）、映像表示部６７には継続された番組の映像が表示され、音声出力部６５には、その音声が出力される。さらに、当該番組は図５に示したように１１：４０には、地上波ディジタル放送��ら再びディジタルＢＳ放送に移って放送，すなわち，さらなる継続先が存在するので（ステップ７）、Ｓ１〜Ｓ６の動作を繰り返す。
【００２８】
また、番組継続先が、現在放送中の伝送路および物理チャンネル（トランスポートストリーム）が同一で、サービスのみ異なる場合、上述の異なる伝送路のサービスに継続する場合と同様にして、番組の継続先と継続時刻とを認識し（ステップ１）、視聴者が視聴継続を設定するか否かを見る（ステップ２）。継続を選択すると、異なるトランスポートストリームを受信する必要がないので、制御部６０はこれを受けて受信中のトランスポートストリームに含まれる継続先のサービスに対応するＰＳＩを抽出，解析する（ステップ３）。また、制御部６０は、解析したＰＳＩから継続先番組の映像および音声のパケットのＰＩＤを取得し、伝送路切り替えの準備をし（ステップ４）、継続時刻の到来を確認すると（ステップ５）、トランスポートデコード部６２のＰＩＤフィルタの設定を入れ替えて、継続先番組のパケットを抽出する。映像デコード部６３および音声デコード部６４は、それぞれ映像のパケットおよび音声のパケットの復号を開始し（ステップ６）、映像表示部６７には継続された番組の映像が表示され、音声出力部６５には、その音声が出力される。そして、さらなる継続先が存在するか否かをみて（ステップ７）、存在すればＳ１〜Ｓ６の動作を繰り返す。
【００２９】
また、番組継続先が、現在放送中の伝送路と同一で、異なるトランスポートストリームに含まれるサービスである場合には、ＢＳ受信部５１，ＢＳ復調部５２，ＢＳ−ＦＥＣ部５３およびＢＳ−ＰＳＩ抽出部５４をもう１つずつ備えて、上述の継続先の伝送路が異なる場合と同様の動作を行なう。すなわち、制御部６０は、番組の継続先と継続時刻とを認識し（ステップ１）、視聴者が視聴継続を設定するか否かを見る（ステップ２）。視聴者が継続を選択すると、受信中のトランスポートストリームから継続先のトランスポートストリームのサービスに対応するＰＳＩを抽出，解析する（ステップ３）。また、制御部６０は、解析したＰＳＩから継続先番組の映像および音声のパケットのＰＩＤを取得し、伝送路切り替えの準備をする（ステップ４）。継続時刻の数秒前位になると、番組継続先のトランスポートストリームの受信を、もう１つのＢＳ受信部に開始させ、同ＢＳ復調部には当該トランスポートストリームの信号のディジタル変調を復調させ、同ＢＳ−ＦＥＣ部にはそのビット誤りを訂正させる。継続時刻の到来を確認すると（ステップ５）、制御部６０はもう１つのＢＳ−ＰＳＩ抽出部からの出力に、セレクタ６１を切り替えるとともに、トランスポートデコード部６２のＰＩＤフィルタの設定を入れ替えて、継続先番組のパケットを抽出する。映像デコード部６３および音声デコード部６４は、それぞれ映像のパケットおよび音声のパケットの復号を開始し（ステップ６）、映像表示部６７には継続された番組の映像が表示され、音声出力部６５には、その音声が出力される。そして、さらなる継続先が存在するか否かをみて（ステップ７）、存在すればＳ１〜Ｓ６の動作を繰り返す。
【００３０】
ここで、上記では、番組継続先が現在放送中の伝送路と同一で、異なるトランスポートストリームに含まれるサービスである場合、ＢＳ受信部５１，ＢＳ復調部５２，ＢＳ−ＦＥＣ部５３およびＢＳ−ＰＳＩ抽出部５４をもう１つずつ備える構成としたが、これらを備えない構成であっても、継続先番組を視聴することは可能である。ただし、後者の場合、継続時刻になってから継続先のトランスポートストリームを受信し、トランスポートデコード部６２のＰＩＤフィルタの設定を切り替えることになるので、継続時刻に継続先番組を表示することは困難になる。
【００３１】
なお、図４には、ＢＳ受信部５１および地上波受信部５５を備えた放送受信装置を示したが、地上波受信部５５等を有しないものであって、番組がＢＳ放送から地上波放送に移動して継続放送される場合等には、図８に示す「続きは地上波で放送いたします。」等の継続メッセージ８１を提示する。制御部６０は、「続きは○○で放送いたします。」や「続きは○○でご覧ください。」などの○○部分である継続先以外をＲＯＭに格納しておき、○○部分は送信されてくるsucceeding descriptor から認識して挿入する。同様にすれば、継続先がアナログ放送の場合にも情報を提供することが可能である。
【００３２】
このように、本発明の実施の形態１によるディジタル放送方法は、送信側において、ＥＩＴにsucceeding descriptor なる記述子を設定して、番組の継続先を認識するためのデータを配置した番組配列情報（ＳＩ）を送信するものとしたから、これらの情報を受信側で利用すれば、番組継続先を表示できるだけでなく、自動的に継続先番組の表示に切り替えることも可能であり、視聴者は数百もあるチャンネルやいくつもの伝送路のいずれの変更先かを的確に把握して、その変更先のチャンネルや伝送路を入力するための負担を解消することができる。
【００３３】
また、本発明の実施の形態１によるディジタル放送受信装置は、ＥＩＴのsucceeding descriptor を抽出して番組継続先を認識し、ＰＳＩを解析する制御部と、継続視聴を希望するか否かを視聴者に問い合わせるＯＳＤメッセージを提示するための映像合成部と、番組切り替わり時刻前にＰＳＩを抽出するＰＳＩ抽出部とを備えた構成としたから、送信側から送信されるsucceeding descriptor を利用して、番組継続先を認識して、自動的に番組継続先に切り替えて番組表示することが可能で、視聴者は数百もあるチャンネルやいくつもの伝送路のいずれの変更先かを的確に把握して、その変更先のチャンネルや伝送路を入力するための負担を解消することができる。また、番組継続先を視聴者に提示して番組継続を希望するか否かを問い合わせ、視聴者は継続するか否かを選択することができる。さらに、あらかじめＰＳＩを抽出，解析しておくことで、継続先番組の受信切り替えに要する時間を確保して、継続時刻に確実に継続先番組に切り替えることが可能となる。
【００３４】
なお、実施の形態１によるディジタル放送受信装置は、ディジタルＢＳ放送および地上波ディジタル放送の間で伝送路を変更して、番組が継続して放送される場合について説明したが、ディジタルＣＳ放送やディジタルＣＡＴＶなどにおいても同様に実施すれば、同様の効果を得ることができる。
【００３５】
実施の形態２．
図９は本発明の実施の形態２によるディジタル放送方法において、番組放送を同一サービスにおいてエレメンタリストリーム（ＥＳ）レベルで継続する場合を説明するための模式図である。図において、（ａ）は実施の形態１に示したように、同一の物理チャンネル（トランスポートストリーム）の異なるサービスで番組放送を継続する場合を示すものである。ここでは、service idが１００であるサービスで放送していた野球中継の画質を落として、service idが２００のサービスで低階層の画質で野球中継を継続する様子を示している。（ｂ）は同一のサービスにおいてＥＳレベルで番組放送を継続する場合を示すものである。service idが１００のサービスにおいて、野球中継のみの放送から、２つのＥＳに分けてメインのＥＳでドラマを放送しながら別のＥＳで野球中継を継続して放送する。このとき、継続先での野球中継の画質を（ａ）におけるservice idが２００のサービスでの画質と同じレベルの低階層にするとともに、当該野球中継のＥＳ分の画質だけドラマの画質を落としたものとなっている。
【００３６】
ここで、ディジタル放送において、１つのトランスポートストリーム（物理チャンネル）の帯域は限られており、その限られた帯域内で４〜８程度のサービスが提供できる。ある物理チャンネルが提供するサービス数はあらかじめ決められ、そのservice idも付与されており、上記帯域は、各サービスにおいて放送する番組に応じて割り振られる。そこで、ある物理チャンネルで、６つのサービスを提供できるが、たとえば高画質を要する番組を放送するため、上記帯域では５つの番組しか放送できず、５つのサービスを使用して１つを使用しない場合が生ずる。この場合でも、上記帯域が残っており使用されていないサービスにおいて、低画質の番組なら放送できるものであれば、図９（ａ）のように、使用されていない１つのサービス（service id=200）を使用して、service id=100のサービスで放送予定時間が終了する野球中継を、低画質ではあるが継続して放送することができる。ところが、ある物理チャンネルで、５つのサービスしか提供できない場合、すなわちservice idが５つしか割り振られていなくて、上記同様、低画質の番組なら放送できる場合には、図９（ｂ）のように、ＥＳレベルで継続して放送する方法をとることになる。
【００３７】
実施の形態２によるディジタル放送方法における送信側の構成は、実施の形態１において図１および図２に示したものと全く同じである。
図１０は、図２のsucceeding descriptor 生成部において番組配列情報（ＳＩ）のイベント情報テーブル（ＥＩＴ）に配置するデータの構造を示す図である。図において、図３と同一符号は同一データであり、また、３９はsucceeding PIDであり、継続先番組の映像および音声が、それぞれ含まれるパケットを示す。したがって、図９（ｂ）のＥＳレベルでの「ドラマ」および「野球中継」のservice idは同じ１００であるが、これらの映像および音声のsucceeding PIDはそれぞれ別個となる。
【００３８】
送信側の動作についても実施の形態１におけるものと同様であり、図２のsucceeding descriptor 生成部２１において、図１０に示したデータ構造を有するsucceeding descriptor を生成する。その後は、実施の形態１と全く同様にして、番組配列情報（ＳＩ）を構成し、映像および音声とともにトランスポートストリームとして多重化し、受信側に伝送される。
実施の形態２による放送受信装置の構成についても、実施の形態１において図４に示したものと同じである。
【００３９】
次に、図９（ｂ）に示したようにＥＳレベルで放送を継続する場合における放送受信装置の動作について説明する。
まず、視聴者が地上波ディジタル放送で放送されている「野球中継」の番組を視聴している場合、地上波受信部５５は、当該番組が含まれるトランスポートストリームの信号を受信し、該信号のディジタル変調を地上波復調部５６が復調して、地上波ＦＥＣ部５７によってビット誤りが訂正され、地上波ＰＳＩ抽出部５８でＰＳＩが抽出されている。該ＰＳＩにより、トランスポートデコード部６２は上記番組を提供するサービスに対応するＰＩＤフィルタを設定して、上記番組の映像および音声のパケットを抽出し、映像デコード部６３および音声デコード部６４で復号して当該番組が放映されている。そして、制御部６０は、トランスポートデコード部６２で抽出されるＥＩＴを解析して、該ＥＩＴに記述されたsucceeding descriptor から放映中の番組の継続先（succeeding service id, succeeding event id, succeeding PIDより認識）と継続時刻（succeeding start time より認識）とを取得する。そこで、制御部６０は、視聴者に当該サービスでの放送終了後に当該番組の継続先に移って視聴を継続するか否かを問い合わせる。すなわち、ＯＳＤメッセージ７１（図７参照）を映像合成部６６で当該番組の映像に貼り付けて、映像表示部６７で図７のような画面として表示して、視聴者が視聴継続を設定するか否かを見る。「いいえ」を選択した場合、当該編成チャンネルでの放送終了時刻が到来すると放送は打ち切られる。一方、入力部５９により「はい」を選択すると、これを受けて制御部６０は継続時刻が到来すると、トランスポートデコード部６２に、ＰＩＤフィルタの設定を、取得したＥＳのＰＩＤフィルタに入れ替えさせ、継続先番組のＥＳを抽出させる。映像デコード部６３および音声デコード部６４は、それぞれ映像のＥＳおよび音声のＥＳの復号を開始し、映像表示部６７には継続されたＥＳレベルでの番組の映像が表示され、音声出力部６５には、その音声が出力される。
【００４０】
ここで、上記動作は、視聴している番組が、地上波ディジタル放送で放送されている場合について説明したが、ディジタルＢＳ放送の場合であっても、地上波受信部５５，地上波復調部５６，地上波ＦＥＣ部５７および地上波ＰＳＩ抽出部５８に、それぞれ対応するＢＳ受信部５１，ＢＳ復調部５２，ＢＳ−ＦＥＣ部５３およびＢＳ−ＰＳＩ抽出部５４によって、同様の動作が行なわれる。
【００４１】
なお、上記succeeding PIDは、同一サービスにおいてＥＳレベルで低画質で番組を継続して提供する場合に用いたが、音声のない映像だけの番組（たとえば無声映画）等を異なる，サービス，ＴＳまたは伝送路で継続して放送する場合にも用いることができる。
【００４２】
このように、本発明の実施の形態２によるディジタル放送方法では、送信側において、ＥＩＴにsucceeding descriptor なる記述子を設定して、succeeding PIDの記述を含んで、番組の継続先をＥＳレベルで認識するためのデータを配置した番組配列情報（ＳＩ）を送信するものとしたから、これらの情報を受信側で利用すれば、ＥＳレベルでの番組継続先を表示できるだけでなく、自動的にＥＳレベルの継続先番組の表示に切り替えることも可能であり、視聴者の入力の負担が軽減される。
【００４３】
また、本発明の実施の形態２によるディジタル放送受信装置は、ＥＩＴのsucceeding descriptor （succeeding PIDを含む）を抽出して、ＥＳレベルの番組継続先を認識し、ＰＳＩを解析する制御部と、継続視聴を希望するか否かを視聴者に問い合わせるＯＳＤメッセージを提示するための映像合成部とを備えた構成としたから、送信側から送信されるsucceeding descriptor （succeeding PIDを含む）を利用して、ＥＳレベルの番組継続先を認識して、自動的にＥＳレベルの番組継続先に切り替えて番組表示することが可能で、視聴者の入力の負担が軽減される。また、ＥＳレベルでの番組継続先を視聴者に提示して、ＥＳレベルの番組継続を希望するか否かを問い合わせ、視聴者は継続するか否かを選択することができる。
【００４４】
実施の形態３．
実施の形態３によるディジタル放送方法における送信側の構成は、実施の形態１において図１および図２に示したものと全く同じである。
図１１は、図２のsucceeding descriptor 生成部において番組配列情報（ＳＩ）のイベント情報テーブル（ＥＩＴ）に配置するデータの構造を示す図である。図において、図３または図１０と同一符号は同一データである。
【００４５】
図１１においては、図３および図１０に示したsucceeding start time ３９およびsucceeding duration ４０が記述されていない。これは、本実施の形態３によるディジタル放送方法は、実施の形態１および実施の形態２のように、継続時刻より前に、あらかじめsucceeding start time ３９およびsucceeding duration ４０を送信するものではなく、継続時刻に継続先のデータを送信するものであることを示している。
【００４６】
次に、送信側の動作についても実施の形態１および実施の形態２におけるものと同様であり、図２のsucceeding descriptor 生成部２１において、図１１に示したデータ構造を有するsucceeding descriptor を生成する。その後は、実施の形態１および実施の形態２と全く同様にして、番組配列情報（ＳＩ）を構成し、映像および音声とともにトランスポートストリームとして多重化し、受信側に伝送される。ただし、該多重化されたトランスポートストリームは、継続時刻に伝送される。
【００４７】
本実施の形態３による放送受信装置の構成についても、実施の形態１および実施の形態２において図４に示したものと同じである。
次に、送信側から送信された図１１に示すデータを利用した場合の放送受信装置の動作について説明する。ここでも、図５に示したように継続先を変更する場合を例として説明する。
【００４８】
視聴者が図５に示した１０：００〜１１：００に放送のディジタルＢＳ放送による番組を視聴している場合、ＢＳ受信部５１は、当該番組が含まれるトランスポートストリームの信号を受信し、該信号のディジタル変調をＢＳ復調部５２が復調して、ＢＳ−ＦＥＣ部５３によってビット誤りが訂正され、ＢＳ−ＰＳＩ抽出部５４でＰＳＩが抽出されている。該ＰＳＩにより、トランスポートデコード部６２は上記番組を提供するサービスに対応するＰＩＤフィルタを設定して、上記番組の映像および音声のパケットを抽出し、映像デコード部６３および音声デコード部６４で復号して当該番組が放映されている。そして、１１：００になると、送信側から図１１に示すsucceeding descriptor が記述されたＥＩＴのＳＩが多重化されたトランスポートストリームが伝送される。制御部６０は、トランスポートデコード部６２で該トランスポートストリームから抽出された上記ＥＩＴを解析して、succeeding descriptor から放映中の番組の継続先を認識し、地上波受信部５５に地上波ディジタル放送のトランスポートストリームの信号を受信させ、地上波復調部５６には当該信号のディジタル変調を復調させ、地上波ＦＥＣ部５７にはそのビット誤りを訂正させ、地上波ＰＳＩ抽出部５８に該トランスポートストリームからＰＳＩを抽出させる。これを解析して継続先番組が含まれるトランスポートストリームの信号を地上波受信部５５に受信させ、地上波復調部５６にディジタル変調を復調させ、地上波ＦＥＣ部５７にそのビット誤りを訂正させる。また、制御部６０は、セレクタ６１を切り替え、上記ＰＳＩから取得した，継続先番組の映像および音声のパケットのＰＩＤによって、トランスポートデコード部６２に、ＰＩＤフィルタの設定を入れ替えさせ、上記番組の映像および音声のパケットを抽出させる。映像デコード部６３および音声デコード部６４は、それぞれ映像信号および音声信号の復号を開始し、映像表示部６７には継続された番組の映像が表示され、音声出力部６５には、その音声が出力される。このとき、制御部６０は、視聴者にＯＳＤメッセージとして、地上波ディジタル放送による継続先番組の表示に切り替えた旨を提示する。さらに、１１：４０にも、送信側から上記succeeding descriptor が記述されたＳＩが多重化されたトランスポートストリームが伝送される。上述のように、制御部６０は該succeeding descriptor から継続先を認識し、ディジタルＢＳ受信部５１に該継続先のトランスポートストリームを受信させる等して、該トランスポートストリームから抽出されたＰＳＩを解析して継続先番組のパケットのＰＩＤを取得する。そして、上述のように、制御部６０は上記継続先番組のパケットをトランスポートデコード部６２に抽出させ、映像デコード部６３および音声デコード部６４で復号されて、映像表示部６７に表示されるとともに、音声出力部６５で出力される。
【００４９】
また、番組継続先が、現在放送中の伝送路と同じでトランスポートストリームおよびサービスが異なる場合，トランスポートストリームも同じでサービスのみ異なる場合，及び同じサービスでＥＳレベルの場合についても、上記動作と同様に行なうことができ、同様の効果を得ることが可能である。
【００５０】
ここで、上記succeeding descriptor には継続時刻が記述されていないため、継続先を認識してＰＩＤ，トランスポートストリームまたは伝送路を切り替えるには数秒程かかる場合もある。この切り替えにかかる時間を考慮して、継続時刻の数秒前に上記succeeding descriptor を送るようにすれば、継続時刻から継続先で番組を放映することができる。
【００５１】
このように、本発明の実施の形態３によるディジタル放送方法は、送信側において、ＥＩＴにsucceeding descriptor なる記述子を設定して、番組の継続先を認識するためのデータを配置した番組配列情報（ＳＩ）を継続時刻に送信するものとしたから、継続時刻についてのデータ分の容量を削減することができ、伝送効率を上げることができる。また、これらの情報を受信側で利用すれば、自動的に継続先番組の表示に切り替えることができ、視聴者は数百もあるチャンネルやいくつもの伝送路のいずれの変更先かを的確に把握して、その変更先のチャンネルや伝送路を入力するための負担を解消することができる。
【００５２】
また、本発明の実施の形態３によるディジタル放送受信装置は、ＥＩＴのsucceeding descriptor を抽出して番組継続先を認識し、ＰＳＩを解析する制御部と、継続先番組に切り替えた旨のＯＳＤメッセージを提示するための映像合成部とを備えた構成としたから、継続時刻に送信側から送信されるsucceeding descriptor を利用して、番組継続先を認識して、自動的に番組継続先に切り替えて番組表示することが可能で、視聴者は数百もあるチャンネルやいくつもの伝送路のいずれの変更先かを的確に把握して、その変更先のチャンネルや伝送路を入力するための負担を解消することができる。また、視聴者は継続先番組に切り替えられたことを認識して、その後のチャンネル操作に支障をきたすこともない。
【００５３】
【発明の効果】
以上のように、本発明（請求項１）にかかるディジタル放送方法によれば、番組放送途中で、編成チャンネル（サービス），物理チャンネル（トランスポートストリーム）または伝送路を変更し、当該番組を継続して放送するディジタル放送方法において、上記番組の映像を生成するステップと、上記番組の音声を生成するステップと、上記番組の継続時刻，並びに，少なくともサービス識別子，トランスポートストリーム識別子および伝送路識別子からなる継続先に関する情報を含んでなる記述子を生成するステップと、上記記述子を当該記述子以外の記述子とともに配置してイベント情報テーブル（ＥＩＴ）を生成するステップと、上記イベント情報テーブル（ＥＩＴ）と当該イベント情報テーブル（ＥＩＴ）以外のテーブルとを多重化して番組配列情報（ＳＩ）を構成するステップと、上記番組の映像および音声と、上記番組配列情報（ＳＩ）とを多重化して、１本のトランスポートストリームとするステップとからなるものとしたから、これらの情報を受信側で利用すれば、番組継続先を表示できるだけでなく、自動的に継続先番組の表示に切り替えることも可能であり、視聴者は数百もあるチャンネルやいくつもの伝送路のいずれの変更先かを的確に把握して、その変更先のチャンネルや伝送路を入力するための負担を解消することができる効果がある。
【００５４】
また、本発明（請求項２）にかかるディジタル放送方法によれば、番組放送途中で、当該番組を継続先エレメンタリストリーム（ＥＳ）に変更して放送するディジタル放送方法において、上記番組の映像を生成するステップと、上記番組の継続時刻，並びに，少なくともＥＳパケットの識別子，サービス識別子，トランスポートストリーム識別子および伝送路識別子からなる継続先に関する情報を含んでなる記述子を生成するステップと、上記記述子を当該記述子以外の記述子とともに配置してイベント情報テーブル（ＥＩＴ）を生成するステップと、上記イベント情報テーブル（ＥＩＴ）と当該イベント情報テーブル（ＥＩＴ）以外のテーブルとを多重化して番組配列情報（ＳＩ）を構成するステップと、上記番組の映像と、上記番組配列情報（ＳＩ）とを多重化して、１本のトランスポートストリームとするステップとからなるものとしたから、これらの情報を受信側で利用すれば、ＥＳレベルでの番組継続先を表示できるだけでなく、自動的にＥＳレベルの継続先番組の表示に切り替えることも可能であり、視聴者の入力の負担が軽減される効果がある。
【００５５】
また、本発明（請求項３）にかかるディジタル放送方法によれば、番組放送途中で、編成チャンネル（サービス），物理チャンネル（トランスポートストリーム）または伝送路を変更し、当該番組を継続して放送するディジタル放送方法において、上記番組の映像を生成するステップと、上記番組の音声を生成するステップと、少なくともサービス識別子，トランスポートストリーム識別子および伝送路識別子からなる，上記番組の継続先に関する情報を含んでなる記述子を生成するステップと、上記記述子を当該記述子以外の記述子とともに配置してイベント情報テーブル（ＥＩＴ）を生成するステップと、上記イベント情報テーブル（ＥＩＴ）と当該イベント情報テーブル（ＥＩＴ）以外のテーブルとを多重化して番組配列情報（ＳＩ）を構成するステップと、継続時刻に、上記番組の映像および音声と、上記番組配列情報（ＳＩ）とを多重化して、１本のトランスポートストリームとして伝送するステップとからなるものとしたから、継続時刻についてのデータ分の容量を削減することができ、伝送効率を上げることができる効果がある。また、これらの情報を受信側で利用すれば、自動的に継続先番組の表示に切り替えることができ、視聴者は数百もあるチャンネルやいくつもの伝送路のいずれの変更先かを的確に把握して、その変更先のチャンネルや伝送路を入力するための負担を解消することができる効果がある。
【００５６】
また、本発明（請求項４）にかかるディジタル放送方法によれば、番組放送途中で、当該番組を継続先エレメンタリストリーム（ＥＳ）に変更して放送するディジタル放送方法において、上記番組の映像を生成するステップと、少なくともＥＳパケットの識別子，サービス識別子，トランスポートストリーム識別子および伝送路識別子からなる，上記番組の継続先に関する情報を含んでなる記述子を生成するステップと、上記記述子を当該記述子以外の記述子とともに配置してイベント情報テーブル（ＥＩＴ）を生成するステップと、上記イベント情報テーブル（ＥＩＴ）と当該イベント情報テーブル（ＥＩＴ）以外のテーブルとを多重化して番組配列情報（ＳＩ）を構成するステップと、継続時刻に、上記番組の映像と、上記番組配列情報（ＳＩ）とを多重化して、１本のトランスポートストリームとして伝送するステップとからなるものとしたから、継続時刻についてのデータ分の容量を削減することができ、伝送効率を上げることができる効果がある。また、これらの情報を受信側で利用すれば、自動的にＥＳレベルの継続先番組の表示に切り替えることができ、視聴者の入力の負担が軽減される効果がある。
【００５７】
また、本発明（請求項５）にかかる受信装置によれば、ディジタル放送により送信側から放送される番組の，編成チャンネル（サービス），物理チャンネル（トランスポートストリーム）または伝送路を変更して、当該番組を継続放送するための継続時刻，並びに，少なくともサービス識別子，トランスポートストリーム識別子および伝送路識別子からなる継続先に関する情報を含んでなる記述子をイベント情報テーブル（ＥＩＴ）に配置した番組配列情報（ＳＩ）が多重化されたトランスポートストリームを受信する受信装置において、複数伝送路によって伝送される上記トランスポートストリームの信号を、それぞれ受信する，当該複数伝送路に対応する複数の受信手段と、受信したトランスポートストリームからプログラム仕様情報（ＰＳＩ）を抽出する，上記複数の受信手段にそれぞれ対応する複数のＰＳＩ抽出手段と、上記トランスポートストリームから上記イベント情報テーブル（ＥＩＴ）を抽出し、継続時刻に、制御手段で取得されたパケット識別子（ＰＩＤ）によって、継続先番組の映像および音声のパケットを抽出するトランスポートデコード手段と、上記トランスポートデコード手段で抽出されたイベント情報テーブル（ＥＩＴ）から上記記述子を抽出して、上記番組の継続時刻および継続先を取得し、継続時刻に先立って当該継続先の伝送路に対応するＰＳＩ抽出手段が抽出したプログラム仕様情報（ＰＳＩ）を解析して、当該継続先番組のパケット識別子（ＰＩＤ）を取得する制御手段を備えた構成としたから、送信側から送信される記述子を利用して、番組継続先を認識して、自動的に番組継続先に切り替えて番組表示することが可能で、視聴者は数百もあるチャンネルやいくつもの伝送路のいずれの変更先かを的確に把握して、その変更先のチャンネルや伝送路を入力するための負担を解消することができる効果がある。また、あらかじめＰＳＩを抽出，解析しておくことで、継続先番組の受信切り替えに要する時間を確保して、継続時刻に確実に継続先番組に切り替えることが可能となる効果がある。
【００５８】
また、本発明（請求項６）にかかる受信装置によれば、ディジタル放送により送信側から放送される番組を、継続先エレメンタリストリーム（ＥＳ）に変更して、継続放送するための継続時刻，並びに，少なくともＥＳパケットの識別子，サービス識別子，トランスポートストリーム識別子および伝送路識別子からなる継続先に関する情報を含んでなる記述子をイベント情報テーブル（ＥＩＴ）に配置した番組配列情報（ＳＩ）が多重化されたトランスポートストリームを受信する受信装置において、複数伝送路によって伝送される上記トランスポートストリームの信号を、それぞれ受信する，当該複数伝送路に対応する複数の受信手段と、受信したトランスポートストリームから上記イベント情報テーブル（ＥＩＴ）を抽出し、継続時刻に、制御手段で取得されたパケット識別子（ＰＩＤ）によって、継続先番組のＥＳのパケットを抽出するトランスポートデコード手段と、上記トランスポートデコード手段で抽出されたイベント情報テーブル（ＥＩＴ）から上記記述子を抽出して解析し、継続時刻に先立って上記番組の継続時刻および継続先伝送路におけるＥＳのパケット識別子（ＰＩＤ）を取得する制御手段とを備えた構成としたから、送信側から送信される記述子を利用して、ＥＳレベルの番組継続先を認識して、自動的にＥＳレベルの番組継続先に切り替えて番組表示することが可能で、視聴者の入力の負担を軽減できる効果がある。
【００５９】
また、本発明（請求項７）にかかる受信装置によれば、ディジタル放送により送信側から放送される番組の，編成チャンネル（サービス），物理チャンネル（トランスポートストリーム）または伝送路を変更して、当該番組を継続放送するための，少なくともサービス識別子，トランスポートストリーム識別子および伝送路識別子からなる継続先に関する情報を含んでなる記述子をイベント情報テーブル（ＥＩＴ）に配置した番組配列情報（ＳＩ）が多重化されたトランスポートストリームを受信する受信装置において、複数伝送路によって伝送される上記トランスポートストリームの信号を、それぞれ受信する，当該複数伝送路に対応する複数の受信手段と、受信したトランスポートストリームからプログラム仕様情報（ＰＳＩ）を抽出する，上記複数の受信手段にそれぞれ対応する複数のＰＳＩ抽出手段と、継続時刻に、上記トランスポートストリームから上記イベント情報テーブル（ＥＩＴ）を抽出し、制御手段で取得されたパケット識別子（ＰＩＤ）によって、継続先番組の映像および音声のパケットを抽出するトランスポートデコード手段と、上記トランスポートデコード手段で抽出されたイベント情報テーブル（ＥＩＴ）から上記記述子を抽出して、上記番組の継続先を取得し、当該継続先の伝送路に対応するＰＳＩ抽出手段が抽出したプログラム仕様情報（ＰＳＩ）を解析して、当該継続先番組のパケット識別子（ＰＩＤ）を取得する制御手段とを備えた構成としたから、継続時刻に送信側から送信される記述子を利用して、番組継続先を認識して、自動的に番組継続先に切り替えて番組表示することが可能で、視聴者は数百もあるチャンネルやいくつもの伝送路のいずれの変更先かを的確に把握して、その変更先のチャンネルや伝送路を入力するための負担を解消することができる効果がある。
【００６０】
また、本発明（請求項８）にかかる受信装置によれば、ディジタル放送により送信側から放送される番組を、継続先エレメンタリストリーム（ＥＳ）に変更して、継続放送するための，少なくともＥＳパケットの識別子，サービス識別子，トランスポートストリーム識別子および伝送路識別子からなる継続先に関する情報を含んでなる記述子をイベント情報テーブル（ＥＩＴ）に配置した番組配列情報（ＳＩ）が多重化されたトランスポートストリームを受信する受信装置において、複数伝送路によって伝送される上記トランスポートストリームの信号を、それぞれ受信する，当該複数伝送路に対応する複数の受信手段と、継続時刻に、受信したトランスポートストリームから上記イベント情報テーブル（ＥＩＴ）を抽出し、制御手段で取得されたパケット識別子（ＰＩＤ）によって、継続先番組の映像および音声のパケットを抽出するトランスポートデコード手段と、上記トランスポートデコード手段で抽出されたイベント情報テーブル（ＥＩＴ）から上記記述子を抽出して解析し、上記番組の継続先伝送路におけるエレメンタリストリーム（ＥＳ）のパケット識別子（ＰＩＤ）を取得する制御手段とを備えた構成としたから、継続時刻に送信側から送信される記述子を利用して、ＥＳレベルの番組継続先を認識して、自動的にＥＳレベルの番組継続先に切り替えて番組表示することが可能で、視聴者の入力の負担を軽減できる効果がある。
【００６１】
また、本発明（請求項９）にかかる受信装置によれば、請求項５または６に記載のディジタル放送受信装置において、番組の映像表示画面の一部に、継続先で番組を継続視聴するか否かを選択するためのＯＳＤメッセージを配置して、画面を作成する映像合成手段と、上記ＯＳＤメッセージに基づいて継続視聴するか否かを選択して、選択内容を上記制御手段に出力する入力手段とをさらに備え、上記制御手段は、取得した継続時刻または継続先に関する情報を視聴者に提示して、視聴者が継続先で番組を視聴継続するか否かを判断し、視聴継続しないときは、上記トランスポートデコード手段に継続先番組のＰＩＤへの切り替えを指示しないものとしたから、番組継続先を視聴者に提示して番組継続を希望するか否かを問い合わせ、視聴者は継続するか否かを選択することができる効果がある。
【００６２】
また、本発明（請求項１０）にかかる受信装置によれば、請求項７または８に記載のディジタル放送受信装置において、番組の映像表示画面の一部に、番組継続先での放映に切り替えた旨のＯＳＤメッセージを配置して、画面を作成する映像合成手段をさらに備えた構成としたから、視聴者は継続先番組に切り替えられたことを認識して、その後のチャンネル操作に支障をきたすことを回避できる効果がある。
【図面の簡単な説明】
【図１】本発明の実施の形態１によるディジタル放送方法における送信側の構成の概略を示すブロック図である。
【図２】図１における番組配列情報生成部の構成を示すブロック図である。
【図３】本発明の実施の形態１によるディジタル放送方法において送信する番組配列情報のＥＩＴに配置するデータの構造を示す図である。
【図４】本発明の実施の形態１におけるディジタル放送受信装置の構成を示すブロック図である。
【図５】番組が伝送路を変更して放送される場合の一例を示した図である。
【図６】本発明の実施の形態１におけるディジタル放送受信装置の動作処理を説明するためのフローチャート図である。
【図７】図４における映像表示部に表示されたＯＳＤメッセージの例を示す図である。
【図８】映像表示部に表示した継続メッセージの例を示す図である。
【図９】本発明の実施の形態２によるディジタル放送方法において、番組を同一サービス（編成チャンネル）においてエレメンタリストリーム（ＥＳ）レベルで放送継続する場合を説明するための模式図である。
【図１０】本発明の実施の形態２によるディジタル放送方法において送信する番組配列情報のＥＩＴに配置するデータの構造を示す図である。
【図１１】本発明の実施の形態３によるディジタル放送方法において送信する番組配列情報のＥＩＴに配置するデータの構造を示す図である。
【符号の説明】
１１  番組配列情報生成部
１２  映像生成部
１３  音声生成部
１４  多重化部
１５  変調器
１６  アンテナ
２１  succeeding descriptor 生成部
２２  その他のdescriptor生成部
２３  ＥＩＴ生成部
２４  その他のテーブル生成部
２５  ＳＩ多重化部
３１  succeeding descriptor
３２  社団法人電波産業会の規格によるsucceeding descriptor
３３  area code
３４  succeeding media id
３５  succeeding network id
３６  succeeding transportstream id
３７  succeeding service id
３８  succeeding event id
３９  succeeding start time
４０  succeeding duration
４１  analog channel number
５１  ＢＳ受信部
５２  ＢＳ復調部
５３  ＢＳ−ＦＥＣ部
５４  ＢＳ−ＰＳＩ抽出部
５５  地上波受信部
５６  地上波復調部
５７  地上波ＦＥＣ部
５８  地上波ＰＳＩ抽出部
５９  入力部
６０  制御部
６１  セレクタ
６２  トランスポートデコード部
６３  映像デコード部
６４  音声デコード部
６５  音声出力部
６６  映像合成部
６７  映像表示部
７１  ＯＳＤメッセージ
８１  継続メッセージ
９１  succeeding PID
【図１】
0003754999.tif 000002
【図２】
0003754999.tif 000003
【図３】
0003754999.tif 000004
【図４】
0003754999.tif 000005
【図５】
0003754999.tif 000006
【図６】
0003754999.tif 000007
【図７】
0003754999.tif 000008
【図８】
0003754999.tif 000009
【図９】
0003754999.tif 000010
【図１０】
0003754999.tif 000011
【図１１】
0003754999.tif 000012